【手続補正書】
【提出日】平成21年3月4日(2009.3.4)
【手続補正１】
【補正対象書類名】明細書
【補正対象項目名】発明の名称
【補正方法】変更
【補正の内容】
【発明の名称】圧縮オーディオ再生機
【手続補正２】
【補正対象書類名】明細書
【補正対象項目名】特許請求の範囲
【補正方法】変更
【補正の内容】
【特許請求の範囲】
【請求項１】
音楽記憶装置に存在するエンコーディングされたオーディオファイルをデコーディングし再生する圧縮オーディオ再生機において、
（ａ）デコーディングされる圧縮オーディオファイルを含む音楽記憶装置と、
（ｂ）デコーディングソフトウェアプログラムの指示下で前記圧縮オーディオファイルをデコーディングし、デコーディングされた信号を生成するプログラマブルデジタル信号処理器と、
（ｃ）前記デジタル信号処理器の動作を指示する一つ以上のデコーディングソフトウェアプログラムと、
（ｄ）前記デコーディングソフトウェアプログラムを記憶するメモリ手段と、
（ｅ）外部メモリから前記メモリ手段に前記デコーディングソフトウェアプログラムを読み込む手段と、
（ｆ）前記デコーディングされた信号をアナログオーディオ信号に変換するデジタル−アナログ変換器と、
を含むことを特徴とする圧縮オーディオ再生機。
【請求項２】
前記メモリ手段からメモリカードに伝達される消去不可コピー標識をさらに含むことを特徴とする請求項１に記載の圧縮オーディオ再生機。
【請求項３】
前記消去不可コピー標識が一連番号であることを特徴とする請求項２に記載の圧縮オーディオ再生機。
【請求項４】
前記メモリ手段が、不揮発性であり、ＭＰＥＧエンコーディングをデコーディングするデコーディングソフトウェアプログラムを初期に含むことを特徴とする請求項１に記載の圧縮オーディオ再生機。
【請求項５】
音楽記憶装置に存在するエンコーディングされたオーディオファイルをデコーディングし再生する圧縮オーディオ再生機において、
（ａ）デコーディングされる圧縮オーディオファイルを含む音楽記憶装置と、
（ｂ）デコーディングソフトウェアプログラムの指示下で前記圧縮オーディオファイルをデコーディングし、デコーディングされた信号を生成するプログラマブルデジタル信号処理器と、
（ｃ）前記デジタル信号処理器の動作を指示する一つ以上のデコーディングソフトウェアプログラムと、
（ｄ）前記デジタル信号処理器の動作を指示する前記デコーディングソフトウェアプログラムを含む不揮発性メモリと、
（ｅ）メモリカードから前記不揮発性メモリに前記デコーディングソフトウェアプログラムを読み込む手段と、
（ｆ）前記デコーディングされた信号をアナログオーディオ信号に変換するデジタル−アナログ変換器と、
（ｇ）前記アナログオーディオ信号を音響に変換する音響再生手段と、
を含むことを特徴とする圧縮オーディオ再生機。
【請求項６】
メモリカードに伝達される消去不可コピー標識をさらに含むことを特徴とする請求項５に記載の圧縮オーディオ再生機。
【請求項７】
前記不揮発性メモリが、ＭＰＥＧをデコーディングするデコーディングソフトウェアプログラムをさらに含むことを特徴とする請求項５に記載の圧縮オーディオ再生機。
【請求項８】
音楽記憶装置に存在するエンコーディングされたオーディオファイルをデコーディングし再生する圧縮オーディオ再生機において、
（ａ）デコーディングされる圧縮オーディオファイルを含む音楽記憶装置と、
（ｂ）デコーディングソフトウェアプログラムの指示下で前記圧縮オーディオファイルをデコーディングし、デコーディングされた信号を生成するプログラマブルデジタル信号処理器と、
（ｃ）前記デジタル信号処理器の動作を指示する一つ以上のデコーディングソフトウェアプログラムと、
（ｄ）前記デジタル信号処理器の動作を指示する前記デコーディングソフトウェアプログラムを含む不揮発性メモリと、
（ｅ）メモリカードから前記不揮発性メモリに前記デコーディングソフトウェアプログラムを読み込む手段と、
（ｆ）前記デコーディングされた信号をアナログオーディオ信号に変換するデジタル−アナログ変換器と、
（ｇ）前記アナログオーディオ信号を音響に変換する音響再生手段と、
（ｈ）メモリカードに伝達される消去不可コピー標識と、
を含むことを特徴とする圧縮オーディオ再生機。
【請求項９】
前記不揮発性メモリが、ＭＰＥＧをデコーディングするデコーディングソフトウェアプログラムをさらに含むことを特徴とする請求項８に記載の圧縮オーディオ再生機。
【請求項１０】
前記消去不可コピー標識が一連番号であることを特徴とする請求項８に記載の圧縮オーディオ再生機。
【手続補正３】
【補正対象書類名】明細書
【補正対象項目名】０００２
【補正方法】変更
【補正の内容】
【０００２】
この発明は、移動式電源又は標準ＡＣ電源で作動してＣＤからのデジタル音声ファイルを解読することができる圧縮オーディオ再生機（以下では、ユニバーサルコンパクトディスク(CD)プレーヤーとも言う）に関する。今日、全てのＣＤプレーヤーは全ての音楽録音業者（「レーベル」）によって使用されている標準的なＣＤＤＡデジタルフォーマットのみの解読（再生）が可能である。 
【手続補正４】
【補正対象書類名】明細書
【補正対象項目名】００１８
【補正方法】変更
【補正の内容】
【００１８】
音楽記憶装置に存在するエンコーディングされたオーディオファイルをデコーディングし再生する圧縮オーディオ再生機は、（ａ）デコーディングされる圧縮オーディオファイルを含む音楽記憶装置と、（ｂ）デコーディングソフトウェアプログラムの指示下で前記圧縮オーディオファイルをデコーディングし、デコーディングされた信号を生成するプログラマブルデジタル信号処理器と、（ｃ）前記デジタル信号処理器の動作を指示する一つ以上のデコーディングソフトウェアプログラムと、（ｄ）前記デコーディングソフトウェアプログラムを記憶するメモリ手段と、（ｅ）外部メモリから前記メモリ手段に前記デコーディングソフトウェアプログラムを読み込む手段と、（ｆ）前記デコーディングされた信号をアナログオーディオ信号に変換するデジタル−アナログ変換器と、を含む。
別の態様として、音楽記憶装置に存在するエンコーディングされたオーディオファイルをデコーディングし再生する圧縮オーディオ再生機は、（ａ）デコーディングされる圧縮オーディオファイルを含む音楽記憶装置と、（ｂ）デコーディングソフトウェアプログラムの指示下で前記圧縮オーディオファイルをデコーディングし、デコーディングされた信号を生成するプログラマブルデジタル信号処理器と、（ｃ）前記デジタル信号処理器の動作を指示する一つ以上のデコーディングソフトウェアプログラムと、（ｄ）前記デジタル信号処理器の動作を指示する前記デコーディングソフトウェアプログラムを含む不揮発性メモリと、（ｅ）メモリカードから前記不揮発性メモリに前記デコーディングソフトウェアプログラムを読み込む手段と、（ｆ）前記デコーディングされた信号をアナログオーディオ信号に変換するデジタル−アナログ変換器と、（ｇ）前記アナログオーディオ信号を音響に変換する音響再生手段と、を含む。
さらに別の態様として、音楽記憶装置に存在するエンコーディングされたオーディオファイルをデコーディングし再生する圧縮オーディオ再生機は、（ａ）デコーディングされる圧縮オーディオファイルを含む音楽記憶装置と、（ｂ）デコーディングソフトウェアプログラムの指示下で前記圧縮オーディオファイルをデコーディングし、デコーディングされた信号を生成するプログラマブルデジタル信号処理器と、（ｃ）前記デジタル信号処理器の動作を指示する一つ以上のデコーディングソフトウェアプログラムと、（ｄ）前記デジタル信号処理器の動作を指示する前記デコーディングソフトウェアプログラムを含む不揮発性メモリと、（ｅ）メモリカードから前記不揮発性メモリに前記デコーディングソフトウェアプログラムを読み込む手段と、（ｆ）前記デコーディングされた信号をアナログオーディオ信号に変換するデジタル−アナログ変換器と、（ｇ）前記アナログオーディオ信号を音響に変換する音響再生手段と、（ｈ）メモリカードに伝達される消去不可コピー標識と、を含む。